(57)【要約】      （修正有）【課題】障子を引込部へ引き込む際に脱衣室側への漏水を少なくすることができる浴室出入口用建具を提供する。【解決手段】レール部１２３の引込部１０Ａには、スロープ部材３２と、このスロープ部材３２の戸尻縦枠側に配置された嵩上レール部材３１とが設けられている。嵩上レール部材３１は、レール部１２３の上方に設けられて障子の戸車を支持する支持部３１２を有し、スロープ部材３２は、レール部１２３の高さ位置から支持部３１２の高さ位置まで傾斜されて障子の戸車を案内する案内面３２０Ａが形成されたスロープ本体３２０を有する。【選択図】図４
2014077252.tif 000002
【特許請求の範囲】
【請求項１】
浴室出入口に取り付けられる建具枠と、この建具枠に対して開閉可能に設けられた障子とを備える浴室出入口用建具であって、
前記建具枠は、前記障子を案内する上枠および下枠と、前記障子の戸先框に対向する戸先縦枠と、前記障子の戸尻框に対向する戸尻縦枠とを備えて構成され、
前記下枠は、上面部と、この上面部から上方に立ち上がって形成されて前記障子の戸車を案内するレール部とを備え、
前記下枠のレール部は、前記障子を戸尻縦枠側に移動して出入口を開口した際に前記障子が配置される引込部を備え、
前記レール部の引込部には、スロープ部材と、前記スロープ部材の戸尻縦枠側に配置された嵩上レール部材とが設けられ、
前記嵩上レール部材は、前記レール部の上方に設けられて前記障子の戸車を支持する支持部を有し、
前記スロープ部材は、前記レール部の高さ位置から前記支持部の高さ位置まで傾斜されて前記障子の戸車を案内する案内面が形成されたスロープ本体を有する浴室出入口用建具。
【請求項２】
前記障子が前記戸先縦枠から前記戸尻縦枠へ向かって移動して前記障子の戸車が前記スロープ部材の開始位置に到達する際に、前記障子の戸先框と前記戸先縦枠とで形成される開口の水平方向の寸法は、前記開口を脱出口として利用可能な寸法に設定されている請求項１に記載の浴室出入口用建具。
【請求項３】
前記嵩上レール部材は、前記レール部の上部に係合する係合部を備え、
前記スロープ部材は、前記スロープ本体の一端側に設けられ前記嵩上レール部材に係止される第一係止部と、前記スロープ本体の他端側に設けられ前記レール部に係止される第二係止部と、を備える請求項１または請求項２に記載の浴室出入口用建具。
【請求項４】
前記嵩上レール部材は、前記レール部に連結される嵩上部本体と、この嵩上部本体から浴室側に向かって設けられたヒレ部とを備え、このヒレ部と前記上面部との間のスペースは前記下枠に残る残水を収容する残水スペースとされる請求項１から請求項３のいずれか１項に記載の浴室出入口用建具。
【請求項５】
前記ヒレ部と前記上面部との間には、前記残水スペースを少なくするための充填部材が設けられている請求項４に記載の浴室出入口用建具。
【発明の詳細な説明】
【技術分野】
【０００１】
本発明は、浴室出入口用建具に関する。
【背景技術】
【０００２】
浴室出入口用の建具として、浴室の脱衣室側の床面から、建具下枠の上面および浴室の床面（洗い場）まで、高さレベルがほぼ一定な略フラットな面を形成したバリアフリータイプの建具が知られている。
このようなバリアフリータイプの浴室出入口用建具としては、従来、洗い場から脱衣室側に水が流出することを防止するため、浴室出入口用建具の下枠下側に配水樋や排水管を設け、浴室から流出する水を下枠下側の排水樋等に落として排水する構造のものが用いられていた。
【０００３】
この従来の建具の構造では、建具下側や洗い場の下側等に排水樋や配水管を配置するスペースが必要となり、施工性やメンテナンス性が低下するため、このような排水樋等を設けない浴室出入口用建具も提案されている。
例えば、片引き戸形式の障子を下枠のレールに開閉自在に設け、下枠の上面部の脱衣室側端部に立上部を設け、この立上部の上端と同じ高さに上端が位置するスロープ用アタッチメントを上面部に設け、このアタッチメント部材と上面部との間に上面部上に流出した水を浴室側へ戻す排水空間を形成した従来例（特許文献１）がある。
【先行技術文献】
【特許文献】
【０００４】
【特許文献１】特許第４２３６６１６号公報
【発明の概要】
【発明が解決しようとする課題】
【０００５】
特許文献１の従来例では、正しく施工し、前記排水空間を定期的に清掃すれば排水性能を維持できる。しかしながら、建具の不良施工や経年に伴うゴミ詰まりで、下枠内に水が溜まることがある。
下枠内に水が溜まった状態で障子を引込部に引き込むと、レールの上を移動する障子の下部が下枠内に溜まった水を押し出すことになり、下枠の引込部側端部から水が脱衣室側に漏れるという課題がある。
【０００６】
本発明の目的は、障子を引込部へ引き込む際に脱衣室側への漏水を少なくすることができる浴室出入口用建具を提供することにある。
【課題を解決するための手段】
【０００７】
本発明の浴室出入口用建具は、浴室出入口に取り付けられる建具枠と、この建具枠に対して開閉可能に設けられた障子とを備える浴室出入口用建具であって、前記建具枠は、前記障子を案内する上枠および下枠と、前記障子の戸先框に対向する戸先縦枠と、前記障子の戸尻框に対向する戸尻縦枠とを備えて構成され、前記下枠は、上面部と、この上面部から上方に立ち上がって形成されて前記障子の戸車を案内するレール部とを備え、前記下枠のレール部は、前記障子を戸尻縦枠側に移動して出入口を開口した際に前記障子が配置される引込部を備え、前記レール部の引込部には、スロープ部材と、前記スロープ部材の戸尻縦枠側に配置された嵩上レール部材とが設けられ、前記嵩上レール部材は、前記レール部の上方に設けられて前記障子の戸車を支持する支持部を有し、前記スロープ部材は、前記レール部の高さ位置から前記支持部の高さ位置まで傾斜されて前記障子の戸車を案内する案内面が形成されたスロープ本体を有することを特徴とする。
【０００８】
このような本発明によれば、障子を開放操作すると、障子は、レール部からスロープ部材を経由して嵩上レール部材まで滑らかに移動する。
嵩上レール部材はレール部のうち引込部に配置された部位にあるので、嵩上レール部材で支持される障子の下端は下枠の上面部から上方に離れていることになる。そのため、浴室から流入した水が引込部に溜まっていても、引込部に位置する障子の下端が引込部に溜まった水の水面から上方に離れていると、障子が戸尻縦枠に向かって移動しても、水を戸尻縦枠に向けて押し出すことがない。障子の下端が引込部に溜まった水の水面より下方にあっても、引込部に位置する障子の下端から引込部に溜まった水の水面までの距離が小さいので、障子で水を押し出したとしても、その量が少ないものとなる。従って、脱衣室側への漏水がないか、あるいは、漏水があったとしても、その量が少ないものとなる。しかも、出入口では、障子は嵩上レール部材ではなくレール部に支持されることから、障子を支持する部材の高さを低いまま維持することができる。そのため、脱衣室から浴室に人が出入りしても、レール部が邪魔になることがないから、バリアフリー用の浴室出入口用建具として好適である。
【０００９】
本発明の浴室出入口用建具では、前記障子が前記戸先縦枠から前記戸尻縦枠へ向かって移動して前記障子の戸車が前記スロープ部材の開始位置に到達する際に、前記障子の戸先框と前記戸先縦枠とで形成される開口の水平方向の寸法は、前記開口を脱出口として利用可能な寸法に設定されていることが好ましい。
【００１０】
この構成によれば、スロープ部材の破損、その他の理由によって、障子の戸車がレール部からスロープ部材へ乗り換える際に障子の移動が規制されたとしても、戸車がスロープ部材の開始位置まで移動することによって生じる開口を脱出口として利用できるので、当該開口を通じて居室と浴室との間を人が行き来することができる。そのため、浴室内に人が閉じ込められるという不都合を回避することができる。
【００１１】
本発明の浴室出入口用建具では、前記嵩上レール部材は、前記レール部の上部に係合する係合部を備え、前記スロープ部材は、前記スロープ本体の一端側に設けられ前記嵩上レール部材に係止される第一係止部と、前記スロープ本体の他端側に設けられ前記レール部に係止される第二係止部と、を備えることが好ましい。
【００１２】
この構成によれば、下枠のレール部に嵩上レール部材を係合し、この嵩上レール部材とレール部とをそれぞれスロープ部材で係止することで、嵩上レール部材とスロープ部材とのレール部への設置を容易に行うことができる。
【００１３】
本発明の浴室出入口用建具では、前記嵩上レール部材は、前記レール部に連結される嵩上部本体と、この嵩上部本体から浴室側に向かって設けられたヒレ部とを備え、このヒレ部と前記上面部との間のスペースは前記下枠に残る残水を収容する残水スペースとされることが好ましい。
【００１４】
この構成によれば、下枠の上面部に溜まった水はヒレ部によって下枠側の残水スペースに収容された下部領域と上方に位置する上部領域とに区分けされる。そのため、障子が戸尻縦枠に移動して水を押し出すことがあっても、押し出す水の領域は主にヒレ部の上方に位置する上部領域となり、ヒレ部の下方に位置する下部領域の水は障子の移動の影響を受けにくいので、脱衣室への漏水をより少量にすることができる。
【００１５】
本発明の浴室出入口用建具では、前記ヒレ部と前記上面部との間には前記残水スペースを少なくするための充填部材が設けられていることが好ましい。
【００１６】
この構成によれば、残水スペースに充填部材を設けることで、ヒレ部の下に残水をさせないか、あるいは、その量を少なくすることができるので、脱衣室への漏水の量をより少なくすることができる。
【発明の効果】
【００１７】
本発明では、障子を引込部へ引き込む際に脱衣室側への漏水を少なくすることができる。
【図面の簡単な説明】
【００１８】
【図１】第１実施形態の浴室出入口用建具を浴室側から示す正面図。
【図２】浴室出入口用建具の横断面図。
【図３】浴室出入口用建具の縦断面図。
【図４】嵩上レール部材およびスロープ部材が下枠に取り付けられた状態を示す斜視図。
【図５】図４の分解斜視図。
【図６】図２のＶＩ−ＶＩ線で示す矢視断面図。
【図７】本発明の第２実施形態の浴室出入口用建具を示すもので、図２に相当する図。
【図８】第２実施形態の要部を示す縦断面図。
【図９】（Ａ）はスロープ部材の側面図、（Ｂ）は取付部材の側面図。
【発明を実施するための形態】
【００１９】
以下、本発明の実施形態を図面に基づいて説明する。
なお、第２実施形態において、次の第１実施形態で説明する構成部材と同じ構成部材、および同様な機能を有する構成部材には、第１実施形態の構成部材と同じ符号を付し、それらの説明を省略または簡略化する。また、各図においては、図面を見やすくするために、主要な構成部材については、その断面部分のハッチングを省略することがある。
【００２０】
〔第１実施形態〕
本発明の第１実施形態に係る浴室出入口用建具（サッシ）の全体構成について、図１ないし図３に基づいて説明する。
図１は、本実施形態の浴室出入口用建具１を浴室側から示す正面図である。図２は、浴室出入口用建具１の横断面図である。図３は、浴室出入口用建具１の縦断面図である。
これらの図において、本実施形態の浴室出入口は、浴室床の床面（図示せず）と、脱衣室床２の床面および建具枠１０の敷居（下枠１２）の最上面との段差が所定寸法範囲、例えば、約１０〜１５mm程度以下とされた低段差構造とされている。
【００２１】
浴室出入口用建具１は、建具枠１０と、この建具枠１０内に開閉自在に設けられた片引き形式の障子２０とを備えた建具である。
障子２０は、それぞれアルミ押出形材製の上框２１、下框２２、戸尻框２３Ａおよび戸先框２３Ｂを四周枠組みし、ガラスや樹脂などの面材２４を組み込んで形成されている。戸先框２３Ｂには取手２５が取り付けられている。
障子２０の上部、例えば、戸尻框２３Ａおよび戸先框２３Ｂの下端部には、それぞれ凹状のガイド溝を有する摺動片１２Ｔが設けられている。
障子２０の下部、例えば、戸尻框２３Ａおよび戸先框２３Ｂの下端部には、戸車２６Ａ，２６Ｂが設けられている。
【００２２】
建具枠１０は、障子２０を案内する上枠１１および下枠１２と、障子２０の戸尻框２３Ａに対向する戸尻縦枠１３Ａと、障子２０の戸先框２３Ｂに対向する戸先縦枠１３Ｂとを備えて構成されており、これらの枠はそれぞれアルミ押出形材から形成されている。上枠１１は障子２０の摺動片１２Ｔを案内する上レール１１Ｔを有する。
【００２３】
脱衣室側において、脱衣室床２に下枠１２が、天井（図示せず）に上枠１１が、それぞれビス止め固定され、浴室側において、浴室床の端部に形成された支持部（図示せす）に下枠１２が載置されて、支持されている。
これらの上枠１１、戸尻縦枠１３Ａおよび戸先縦枠１３Ｂの構成や躯体側への取付構造は、従来と同様のものであるため、説明を省略する。
建具枠１０の幅方向略中央における上枠１１と下枠１２との間には、縦骨１４が架設されている。上枠１１、下枠１２、戸尻縦枠１３Ａおよび縦骨１４の浴室側の部位にはそれぞれ固定枠１５０が設けられており、これらの固定枠１５０には固定面材１５の四辺部が固定されている。
【００２４】
図３において、下枠１２は、略中空筒状の成形品であり、上面部１２１と、上面部１２１の脱衣室側端縁から略垂直に立ち上がる立上部１２２と、この立上部１２２より浴室側に配置され上面部１２１から立ち上がって形成されたレール部１２３とを備えている。
ここで、上面部１２１は略フラットな水平面とされているが、レール部１２３から浴室側端面に向かって低くなるように僅かに傾斜されて水勾配が付けられている。レール部１２３の上端位置は立上部１２２の上端位置より低い。
【００２５】
図１および図２において、前記下枠１２のレール部１２３は、障子２０を戸尻縦枠１３Ａ側に移動して出入口を開口した際に障子２０が配置される引込部１０Ａを備える。引込部１０Ａの戸尻側まで障子２０が移動すると、障子２０の戸先框２３Ｂと、戸先縦枠１３Ｂと、上枠１１および下枠１２とで囲まれる空間が開口部１０Ｂを構成することになる。開口部１０Ｂに位置する下枠１２の浴室側には、延出部１２Ａが延出されている。
レール部１２３のうち引込部１０Ａに配置された部位の上方には、嵩上レール部材３１が設けられている。嵩上レール部材３１の戸尻側端部はレール部１２３の端部に合わせて戸尻縦枠１３Ａに近接する位置まで延びている。
嵩上レール部材３１とレール部１２３のうち嵩上レール部材３１より戸先縦枠１３Ｂ側に位置する部位とは、スロープ部材３２で接続されている。レール部１２３の上面の高さに比べて嵩上レール部材３１の上面の高さが高い。そのため、障子２０は、レール部１２３で支持されている場合に比べて引込部１０Ａの嵩上レール部材３１で支持されている場合に上端位置が高くなるが、障子２０の摺動片１２Ｔの開口部分の谷と上枠１１の上レール１１Ｔの下端とには所定の寸法があるため(図３参照)、障子２０の上端が上枠１１に当たって移動が阻害されることがない。
【００２６】
ここで、スロープ部材３２は引込部１０Ａにあり、レール部１２３とスロープ部材３２との継ぎ目がスロープ部材３２の開始位置Ｐである。障子２０が戸先縦枠１３Ｂから戸尻縦枠１３Ａへ向かって移動して戸尻側の戸車２６Ａがスロープ部材３２の開始位置Ｐに到達すると、戸先縦枠１３Ｂと障子２０の戸先框２３Ｂとで開口が形成される。この開口の水平方向の寸法Ｗは、開口が脱出口として利用可能な寸法、例えば、２５０ｍｍ以上３５０ｍｍ以下、好ましくは３００ｍｍに設定されている。
【００２７】
嵩上レール部材３１およびスロープ部材３２の詳細な構造が図４、図５および図６に示されている。
図４は嵩上レール部材３１およびスロープ部材３２が下枠１２に取り付けられた状態を示す斜視図であり、図５は図４の分解斜視図であり、図６は図２のＶＩ−ＶＩ線で示す矢視断面図である。なお、図６と図２とでは見ている向きが逆となるため、レール部１２３および嵩上レール部材３１の断面形状が左右逆となる。
これらの図において、レール部１２３は、直線上に所定間隔離して配置された２本のレール本体１２３１と、これらのレール本体１２３１の間に所定の隙間を設けて配置された取付片部１２３２とを備えている。
レール本体１２３１は、上面部１２１から起立して形成された基部１２３１Ａと、この基部１２３１Ａの上端から直角に折れ曲がって形成された上端部１２３１Ｂとを備えている。
取付片部１２３２は、スロープ部材３２が配置される箇所において上面部１２１から起立して形成された長尺状の板状部材であり、レール部１２３の長手方向に沿った端部がそれぞれ斜めに切り欠かかれた形状とされている。取付片部１２３２の高さはレール本体１２３１の高さより低い。
【００２８】
嵩上レール部材３１は、アルミや合成樹脂からなる押出成形品であり、レール本体１２３１の上端部１２３１Ｂに係合する係合部３１１と、障子２０の戸車２６Ａを支持する支持部３１２とを備えている。なお、嵩上レール部材３１は、図では１本のレールとして示されているが、本実施形態では、嵩上レール部材３１は１本から構成してもよく、複数本から構成してもよい。複数本から嵩上レール部材３１を構成する場合には、これらをレール部１２３に沿って並べて配置するが、これらの間での段差がなくなるようにするために、端部同士を当接させることが好ましい。
係合部３１１は、レール本体１２３１が収納される凹部３１１Ａを備え、この凹部３１１Ａの内周面には上端部１２３１Ｂを抜け止めするための抜止用突起３１１Ｂが形成されている。係合部３１１は、その下端に上面部１２１と当接するとともに先端が互いに離れる方向に形成された一対の脚部３１１Ｃと、これらの脚部３１１Ｃの上側にそれぞれ設けられた係止突起３１１Ｄとを備える。
支持部３１２は、係合部３１１の上端から上方に向けて突出して形成された起立部３１２１と、この起立部３１２１の上端から直角に折れ曲がって形成され戸車２６Ａ，２６Ｂが案内される上端部３１２２とを備える。
【００２９】
スロープ部材３２は、ポリアセタールその他の合成樹脂からなり、戸車２６Ａを案内するスロープ本体３２０と、このスロープ本体３２０の一端部にそれぞれ設けられ嵩上レール部材３１に係止される２つの第一係止部３２１と、スロープ本体３２０の他端に突出して設けられ開口部１０Ｂ側のレール本体１２３１に係止される１つの第二係止部３２２と、を備える。
スロープ本体３２０は、その上面に戸車２６Ａ，２６Ｂを案内する断面円弧状の案内面３２０Ａが形成され、その内部に取付片部１２３２に係合する凹部（図示せず）が形成されている。
スロープ本体３２０の案内面３２０Ａと支持部３１２の上端部３１２２の上面とは滑らかに接続されており、案内面３２０Ａとレール部１２３の上端部１２３１Ｂの上面とは滑らかに接続されている。
第一係止部３２１は係合部３１１の脚部３１１Ｃと係止突起３１１Ｄとの間に係止される。
第二係止部３２２はレール本体１２３１の基部１２３１Ａと上端部１２３１Ｂとに係止される。
【００３０】
嵩上レール部材３１およびスロープ部材３２を設置するには、予め、押出成形された下枠１２のレール部を加工し、レール本体１２３１と取付片部１２３２とを上面部１２１に形成しておく。
そして、レール本体１２３１に嵩上レール部材３１を直接押し付ける。なお、嵩上レール部材３１が直線上に並んでいるレール本体１２３１の間の寸法より短いか、あるいは、嵩上レール部材３１を複数本から構成する場合には、取付片部１２３２の上から嵩上レール部材３１を下枠１２の上面部１２１に押し付け、その後、嵩上レール部材３１を戸尻縦枠１３Ａ側に向けてスライドさせる。これにより、嵩上レール部材３１の抜止用突起３１１Ｂがレール本体１２３１の上端部１２３１Ｂの下方に案内される。この状態では、嵩上レール部材３１を上面部１２１から離そうとしても、抜止用突起３１１Ｂにより上端部１２３１Ｂが係止されるので、抜け止めされる。
【００３１】
その後、スロープ部材３２を取付片部１２３２の上から上面部１２１に向けて押し付け、嵩上レール部材３１に向けてスライドさせる。すると、スロープ部材３２の第一係止部３２１が嵩上レール部材３１の脚部３１１Ｃと係止突起３１１Ｄとの間に係止される。
さらに、スロープ部材３２を嵩上レール部材３１とは反対側に少しスライドさせることで、スロープ部材３２の第二係止部３２２がレール本体１２３１に係止される。
【００３２】
以上の構成の浴室出入口用建具１において障子２０を開放操作すると、障子２０は、戸尻縦枠１３Ａに向けてレール本体１２３１からスロープ部材３２を経由して嵩上レール部材３１まで滑らかに移動する。
ここで、浴室から流入した水が引込部１０Ａで溜まることがあっても、引込部１０Ａにおいて障子２０が嵩上レール部材３１によって嵩上げされているので、下枠１２の上面部１２１と障子２０の下端縁との間の寸法は大きくなる。そのため、障子２０が戸尻縦枠１３Ａに向けて移動しても、障子２０の下端が引込部１０Ａに溜まった水の水面から上方に離れている場合には、水を押し出すことがなく、あるいは、水面の下方にあっても水面までの距離が小さいので、押し出す水の量が少ないものとなる。
【００３３】
このような本実施形態によれば、以下のような効果を奏することができる。
（１）レール部１２３の引込部１０Ａには、スロープ部材３２と、このスロープ部材３２の戸尻側に配置された嵩上レール部材３１とが設けられている。嵩上レール部材３１は、レール部１２３の上方に設けられて障子２０の戸車２６Ａを支持する支持部３１２を有し、スロープ部材３２は、レール部１２３の高さ位置から支持部３１２の高さ位置まで傾斜されて障子２０の戸車２６Ａを案内する案内面３２０Ａが形成されたスロープ本体３２０を有する。そのため、引込部１０Ａでは嵩上レール部材３１によって障子２０が高い位置にあるため、引込部１０Ａに水が溜まっても、移動する障子２０で水を押し出すことがないか、押し出しても少量であり、脱衣室への漏水が少ないものとなる。しかも、出入口では、嵩上レール部材３１が設けられることがなく、レール部１２３で障子２０が支持されているので、障子２０を支持するレール部１２３を従来と同様に低いまま維持することができるので、バリアフリー用の浴室出入口用建具として好適である。
【００３４】
（２）障子２０が戸先縦枠１３Ｂから戸尻縦枠１３Ａへ向かって移動し戸尻縦枠１３Ａ側にある戸車２６Ａがスロープ部材３２の開始位置Ｐに到達する際に、戸先縦枠１３Ｂと、障子２０の戸先框２３Ｂとで形成される開口の水平方向の寸法Ｗが、開口を脱出口として利用可能な寸法に設定されている。そのため、戸車２６Ａがレール部１２３からスロープ部材３２へ乗り換える際に、スロープ部材３２等の不具合、例えば、スロープ部材３２の破損によって障子２０がそれ以上動かなくなっても、出入口の開口が寸法Ｗだけ確保される。開口として寸法Ｗが確保されることにより、居室と浴室との間を人が行き来することができることになり、浴室内に人が閉じ込められるという不都合を回避することができる。
【００３５】
（３）嵩上レール部材３１は、レール本体１２３１の上端部１２３１Ｂに係合する係合部３１１を備えているから、下枠１２への嵩上レール部材３１の設置を容易に行うことができる。
【００３６】
（４）係合部３１１はレール本体１２３１が収納される凹部３１１Ａを備え、この凹部３１１Ａの内周面には上端部１２３１Ｂを抜け止めするための抜止用突起３１１Ｂが形成されているので、設置された嵩上レール部材３１がレール本体１２３１から誤って外れることを防止することができる。
【００３７】
（５）スロープ部材３２は、スロープ本体３２０の一端側に設けられ嵩上レール部材３１に係止される第一係止部３２１と、スロープ本体３２０の他端側に設けられレール本体１２３１に係止される第二係止部３２２とを備えているから、スロープ部材３２の設置を容易に行うことができ、しかも、嵩上レール部材３１とレール本体１２３１とからの離脱を防止することができる。
【００３８】
（６）スロープ部材３２の上面部１２１と対向する部分に取付片部１２３２と係合する凹部が形成されているので、スロープ部材３２を取付片部１２３２に取り付けた後では、レール部１２３の長手方向と直交する方向のズレを防止できる。
【００３９】
（７）取付片部１２３２の形状を、基部１２３１Ａから直角に折れ曲がった上端部１２３１Ｂを設けたレール本体１２３１とは異なり、単純な板状としたので、嵩上レール部材３１を取付片部１２３２の位置から設置する際に、抜止用突起３１１Ｂがあってもスムーズに嵩上レール部材３１を取付片部１２３２にセットすることができる。
【００４０】
〔第２実施形態〕
次に、本発明の第２実施形態に係る浴室出入口用建具について、図７から図９に基づいて説明する。
図７は浴室出入口用建具を示す図２に相当する図であり、図８は浴室出入口用建具の要部を示す縦断面図である。
図７および図８において、浴室出入口用建具１Ａは、第１実施形態と同様に、建具枠１０と、この建具枠１０内に開閉自在に設けられた障子２０とを備えた建具である。
下枠１２のレール部１２３のうち引込部１０Ａに配置された部位の上方に嵩上レール部材３１Ａが設けられ、嵩上レール部材３１Ａとレール部１２３のうち嵩上レール部材３１より開口部端部側に位置する部位とはスロープ部材３２Ａで接続されている。嵩上レール部材３１Ａの戸尻縦枠１３Ａ側には取付部材３３が設けられている。
ここで、障子２０の戸車２６Ａがスロープ部材３２Ａの開始位置Ｐに到達する際に生じる出入口の開口の水平方向の寸法Ｗは、開口を脱出口として利用可能な寸法に設定されている（図１参照）。
【００４１】
嵩上レール部材３１Ａは、アルミや合成樹脂からなる押出成形品であり、レール本体１２３１に連結される嵩上部本体３１０と、この嵩上部本体３１０から浴室側に向かって設けられたヒレ部３１３とを備えている。
嵩上部本体３１０は係合部３１１および支持部３１２を備えており、係合部３１１を構成する一対の係止突起３１１Ｄのうち一方にヒレ部３１３が一体に形成されている。
ヒレ部３１３は、浴室側の先端部がＵ字状に折り曲げて形成されており、その折り曲げられた曲折部３１３Ａの一部が固定枠１５０と当接されている。
ヒレ部３１３と下枠１２の上面部１２１との間のスペースは下枠１２に残る残水を収容する残水スペースＳとされる。
【００４２】
残水スペースＳには充填部材３４が設けられている。充填部材３４は熱可塑性エラストマー等の合成樹脂から形成されたブロック状の残水対策用部品であり、その上面がヒレ部３１３の下面と当接し、その下面が下枠１２の上面部１２１と当接し、その一方の側面が係合部３１１の側面に当接し、その他方の側面が固定枠１５０の側面に当接する。なお、充填部材３４の角部はヒレ部３１３の曲折部３１３Ａの先端に食い込まれている。
充填部材３４のレール部１２３の長手方向に沿った長さはヒレ部３１３の長さ寸法より短い。
【００４３】
スロープ部材３２Ａはポリアセタールその他の合成樹脂からなり、そのレール部１２３の長手方向と直交する断面の形状は嵩上レール部材３１Ａとほぼ同じである。
スロープ部材３２Ａの側面形状が図９（Ａ）に示されている。
図７および図９（Ａ）において、スロープ部材３２Ａは戸車２６Ａ，２６Ｂを案内するスロープ本体３２０と、このスロープ本体３２０の一端部に設けられ嵩上レール部材３１Ａに係止される１つの第一係止部３２１Ａと、スロープ本体３２０の他端部に設けられレール本体１２３１に係止される図示しない第二係止部とを備える。
スロープ本体３２０は、その上面の案内面３２０Ａが嵩上レール部材３１Ａの支持部３１２の上面とレール本体１２３１の上面とを接続するように傾斜している。
第一係止部３２１Ａは、嵩上レール部材３１Ａのヒレ部３１３と係合部３１１と下枠１２の上面部１２１との間に係止される。
【００４４】
取付部材３３の側面形状が図９（Ｂ）に示されている。
図７および図９（Ｂ）において、取付部材３３は、ポリアセタール、その他の合成樹脂製のブロック体であり、上面部１２１に配置されるブロック本体３３０と、このブロック本体３３０の一端部に設けられ嵩上レール部材３１Ａに係止される係止部３３１とを備える。なお、ブロック本体３３０に高さ調整ねじ（図示せず）を設け、取付部材３３を介して嵩上レール部材３１Ａの高さ調整や傾斜調整をしてもよい。
【００４５】
第２実施形態では、第１実施形態の効果に加えて次の効果を奏することができる。
（８）レール本体１２３１に連結される嵩上部本体３１０と、この嵩上部本体３１０に設けられたヒレ部３１３とを備えて嵩上レール部材３１Ａを構成したから、ヒレ部３１３と下枠１２の上面部１２１との間のスペースが下枠１２に残る残水を収容する残水スペースＳとされるので、障子２０が戸尻縦枠１３Ａに移動して水を押し出すことがあっても、押し出す水の領域は主にヒレ部３１３の上方に位置する領域となり、ヒレ部３１３の下方に位置する領域の水は障子２０の移動の影響を受けにくくなる。そのため、障子２０の移動に伴って押し出される水の量が少なくなるので、脱衣室への漏水をより少量にすることができる。
【００４６】
（９）ヒレ部３１３と下枠１２の上面部１２１との間に残水スペースＳを埋める充填部材３４を設けたから、ヒレ部３１３と上面部１２１との間のスペースでの残水の量を少なくすることにより、脱衣室への漏水の量をより少なくすることができる。
【００４７】
なお、本発明は前記各実施形態の構成に限定されるものではない。
例えば、浴室出入口用建具１としては、前記各実施形態に示す片引き戸形式の浴室出入口用建具１に限らず、二枚引戸形式の浴室出入口用建具でもよい。従って、建具枠１０や障子２０の具体的な構造、材質などは、実施にあたって適宜設定すればよい。
【００４８】
第１実施形態では、嵩上レール部材３１の戸尻側端部がレール部１２３の端部に合わせて戸尻縦枠１３Ａに近接する位置まで延びた構成としたが、本発明では、この構成に限定されるものではない。例えば、嵩上レール部材３１の戸尻側端部がレール部１２３の途中位置までになるように嵩上レール部材３１を短くし、嵩上レール部材３１の戸尻側端部とレール部１２３の戸尻側端部との間に嵩上レール部材３１の上面からレール部１２３の上面に下り傾斜するスロープ部材３２を配置する構成としてもよい。この場合、嵩上レール部材３１とその両側にあるスロープ部材３１との合計の長さが障子２０の戸車２６Ａ，２６Ｂの間隔より短い場合には、障子２０が引込部１０Ａに収納されると、障子２０の戸車２６Ａ，２６Ｂがそれぞれレール部１２３で支持されることになり、障子２０が水平に保たれることになる。なお、この例では、嵩上レール部材３１や両側に配置されたスロープ部材３２の長さを長くすることで、両スロープ部材３２で障子２０の戸車２６Ａ，２６Ｂを支持するものとしてもよい。
さらに、本発明では、嵩上レール部材３１の戸尻側端部とレール部１２３の戸尻側端部との間に嵩上レール部材３１を設けることに代えて、嵩上レール部材３１の途中位置から戸尻側に向けて下り傾斜する切欠きを形成することでもよい。この場合でも、障子２０の戸車２６Ａ，２６Ｂがそれぞれレール部１２３で支持されることになり、障子２０が水平に保たれる。
【００４９】
また、第１実施形態では、嵩上レール部材３１とスロープ部材３２とをレール部１２３に係止させる構成としたが、本発明では、嵩上レール部材３１とスロープ部材３２とを上面部１２１にビス止めするものであってもよい。この場合、防水のために、ビス止めする箇所にシールをすることが好ましい。
【００５０】
さらに、第２実施形態では、充填部材３４をヒレ部３１３と上面部１２１との間に設けたが、本発明では、充填部材３４を設けることを要しない。この場合、ヒレ部３１３に図示しない高さ調整用ビスをねじ込み、この高さ調整用ビスのねじ込み量を調整することで、嵩上レール部材３１Ａの高さ調整や傾斜調整をすることができる。
【符号の説明】
【００５１】
１，１Ａ…浴室出入口用建具、２…脱衣室床、１０…建具枠、１０Ａ…引込部、１０Ｂ…開口部、１２…下枠、１３Ａ…戸尻縦枠，１３Ｂ…戸先縦枠、２０…障子、２３Ａ…戸尻框、２３Ｂ…戸先框、２６Ａ，２６Ｂ…戸車、３１，３１Ａ…嵩上レール部材、３２，３２Ａ…スロープ部材、３４…充填部材、１２１…上面部、１２３…レール部、３１０…嵩上部本体、３１１…係合部、３１２…支持部、３１３…ヒレ部、３２０…スロープ本体、３２１，３２１Ａ…第一係止部、３２２…第二係止部、３３１…係止部、１２３１…レール本体、Ｐ…開始位置、Ｓ…残水スペース、Ｗ…寸法
【図１】
2014077252.tif 000003
【図２】
2014077252.tif 000004
【図３】
2014077252.tif 000005
【図４】
2014077252.tif 000006
【図５】
2014077252.tif 000007
【図６】
2014077252.tif 000008
【図７】
2014077252.tif 000009
【図８】
2014077252.tif 000010
【図９】
2014077252.tif 000011